(57)【要約】【課題】３０分以上の所望の積算期間における電力量を簡単に知ることが出来る積算電力量表示装置を提供する。【解決手段】マイコン１２は、一定のサンプリング間隔τごとにＡＤコンバータ１１から電流値を読み取って、一定の供給電圧とサンプリング間隔τを乗算して短時間電力量［ｋＷｈ］を求め、メモリに記憶する。これを繰り返して、積算期間Ｔだけ過去の短時間電力量から最新の短時間電力量までをメモリに蓄積したら、それら短時間電力量を加算し、それを積算値とする。その後、最新の短時間電力量を新たに記憶する時は、蓄積していた積算期間Ｔだけ過去の短時間電力量を現在の積算値から減算し且つ最新の短時間電力量を加算し、その結果を新たな積算値とする。そして、最新の積算値を積算電力表示器１４に表示する。【効果】電力使用計画を立てたり、電力発電予測を行ったりするのに役立てることが出来る。【選択図】図１
2004004101.tif 000002
【特許請求の範囲】
【請求項１】
現在から３０分以上の積算期間だけ過去までの使用電力量または発電電力量を積算により求める電力量取得手段と、積算値を表示する表示手段とを具備したことを特徴とする積算電力量表示装置。
【請求項２】
請求項１に記載の積算電力量表示装置において、前記積算期間を操作者が設定するための設定操作手段を具備することを特徴とする積算電力量表示装置。
【請求項３】
積算開始時から積算終了時までの積算期間の間の使用電力量または発電電力量を積算により求める電力量取得手段と、積算値を表示する表示手段とを具備したことを特徴とする積算電力量表示装置。
【請求項４】
請求項３に記載の積算電力量表示装置において、前記積算開始時または前記積算終了時または前記積算期間の少なくとも一つを操作者が設定するための設定操作手段を具備することを特徴とする積算電力量表示装置。
【発明の詳細な説明】
【０００１】
【発明の属する技術分野】
本発明は、積算電力量表示装置に関し、さらに詳しくは、３０分以上の所望の積算期間における使用電力量［ｋＷｈ］や発電電力量［ｋＷｈ］を簡単に知ることが出来る積算電力量表示装置に関する。
【０００２】
【従来の技術】
従来、積算使用電力量［ｋＷｈ］および３０秒毎の短時間平均使用電力［ｋＷ］を算出する電力量計が提案されている（特許文献１参照。）。
【０００３】
【特許文献１】
特開２００１−８３１８２号公報（［００２０］〜［００２４］）
【０００４】
【発明が解決しようとする課題】
上記従来の電力量計における積算使用電力量［ｋＷｈ］は、電力量計が動き始めた時から現在までの積算使用電力量であり、例えば本日の９時から１７時までの使用電力量［ｋＷｈ］を知るためには、９時での積算使用電力量［ｋＷｈ］をメモしておき、それを１７時での積算使用電力量［ｋＷｈ］から減算するといった煩雑な作業が必要になる問題点がある。
また、上記従来の電力量計における短時間平均使用電力［ｋＷ］は、実質的に瞬時電力であり、例えば本日の９時から１７時までの使用電力量［ｋＷｈ］を知るためには、９時から１７時までの３０秒毎の９６０回の短時間平均使用電力［ｋＷ］を加算し、加算回数９６０（＝８時間÷３０秒）で除算するといった煩雑な作業が必要になる問題点がある。
そこで、本発明の目的は、３０分以上の所望の積算期間における使用電力量［ｋＷｈ］や発電電力量［ｋＷｈ］（例えば、本日の９時から１７時までの使用電力量［ｋＷｈ］）を簡単に知ることが出来る積算電力量表示装置を提供することにある。
【０００５】
【課題を解決するための手段】
第１の観点では、本発明は、現在から３０分以上の積算期間だけ過去までの使用電力量または発電電力量を積算により求める電力量取得手段と、積算値を表示する表示手段とを具備したことを特徴とする積算電力量表示装置を提供する。
上記構成において、「現在」には、使用電力量または発電電力量を検出する検出周期分または表示を更新する表示周期分の時間のずれを含む。例えば、検出周期が１分、表示周期が１秒とすると、「現在」は最大で１分のずれを含むことになる。また、例えば、検出周期が１秒、表示周期が１分としても、「現在」は最大で１分のずれを含むことになる。
上記第１の観点による積算電力量表示装置では、例えば、事業所の電力供給路に設置し、積算期間を８時間に設定しておけば、１７時に表示を見るだけで、本日の９時から１７時までの使用電力量［ｋＷｈ］を簡単に知ることが出来る。また、例えば、太陽光発電器の電力出力路に設置し、積算期間を１２時間に設定しておけば、１８時に表示を見るだけで、本日の６時から１８時までの発電電力量［ｋＷｈ］を簡単に知ることが出来る。そして、このように積算期間の電力量［ｋＷｈ］を定量的に知ることにより、次の電力使用計画を立てたり、電力発電予測を行ったりするのに役立てることが出来る。
なお、本発明の積算電力量表示装置の使用目的からして、積算期間は３０分，１時間，２時間，３時間，４時間，６時間，８時間，１２時間，１８時間，２４時間のいずれかに設定するのが好ましい。
【０００６】
第２の観点では、本発明は、上記構成の積算電力量表示装置において、前記積算期間を操作者が設定するための設定操作手段を具備することを特徴とする積算電力量表示装置を提供する。
上記第２の観点による積算電力量表示装置では、操作者が使用目的に応じて積算期間を設定できるため、使い勝手が良くなる。
【０００７】
第３の観点では、本発明は、積算開始時から積算終了時までの積算期間の間の使用電力量または発電電力量を積算により求める電力量取得手段と、積算値を表示する表示手段とを具備したことを特徴とする積算電力量表示装置を提供する。
上記第１の観点による積算電力量表示装置では、例えば、事業所の電力供給路に設置し、積算開示時を９時に設定し積算終了時を１７時に設定しておけば、１７時以降に表示を見るだけで、本日の９時から１７時までの使用電力量［ｋＷｈ］を簡単に知ることが出来る。また、例えば、太陽光発電器の電力出力路に設置し、積算開示時を６時に設定し積算終了時を１８時に設定しておけば、１８時以降に表示を見るだけで、本日の６時から１８時までの発電電力量［ｋＷｈ］を簡単に知ることが出来る。そして、このように積算期間の電力量［ｋＷｈ］を定量的に知ることにより、次の電力使用計画を立てたり、電力発電予測を行ったりするのに役立てることが出来る。
【０００８】
第４の観点では、本発明は、上記構成の積算電力量表示装置において、前記積算開始時または前記積算終了時または前記積算期間の少なくとも一つを操作者が設定するための設定操作手段を具備することを特徴とする積算電力量表示装置を提供する。
上記第４の観点による積算電力量表示装置では、操作者が積算開始時および積算終了時を設定できるようにすると、使い勝手が良くなる。この場合、日を跨った積算を可能にするために、日付も含めて積算開始時および積算終了時を設定できるようにするのが好ましい。また、操作者が積算開始時および積算期間を設定できるようにしてもよいし（この場合、積算開始時より積算期間後が積算終了時になる）、積算終了時および積算期間を設定できるようにしてもよい（この場合、積算終了時より積算期間前が積算開始時になる）。
【０００９】
【発明の実施の形態】
以下、図に示す本発明の実施の形態を説明する。なお、これにより本発明が限定されるものではない。
【００１０】
−第１の実施形態−
図１は、第１の実施形態にかかる積算電力量表示装置１００を示す構成図である。
この積算電力量表示装置１００は、電力供給路Ｐ中に計器用変成器Ｔを介して付設されており、電力供給路Ｐに流れる電流値をデジタル値に変換するＡＤコンバータ１１と、ＡＤコンバータ１１から短時間毎に電流値を読み取って短時間電力量を求め積算するマイコン１２と、積算値を表示するための表示回路１３および積算電力量表示器１４と、操作者が積算期間を設定するための操作スイッチ１５と、設定された積算期間を表示するための積算期間表示器１６とを具備している。
【００１１】
例えば、本日の９時から１７時までの使用電力量［ｋＷｈ］を知りたいなら、上記積算電力量表示装置１００を次のようにして使用する。
（１）操作者は、操作スイッチ１５を操作して積算期間Ｔを８時間に設定する。マイコン１２は、積算期間Ｔを積算期間表示器２６に表示する。
（２）マイコン１２は、一定のサンプリング間隔τ（例えば、１／１２０ｈ）毎にＡＤコンバータ１１から電流値を読み取って、一定の供給電圧（例えば１００Ｖ）とサンプリング間隔τを乗算して短時間電力量［ｋＷｈ］を求め、メモリに記憶する。これを繰り返して、積算期間Ｔだけ過去から最新までの短時間電力量をメモリに蓄積したら、それら短時間電力量を加算し、それを積算値とする。その後、最新の短時間電力量を新たに記憶する時は、蓄積していた積算期間Ｔだけ過去の短時間電力量を現在の積算値から減算し且つ最新の短時間電力量を加算し、その結果を新たな積算値とする。そして、最新の積算値を積算電力表示器１４に表示する。
（３）操作者は、積算電力表示器１４を見るだけで現在から積算期間Ｔだけ過去までの間に使用した電力量を知ることが出来る。従って、１７時に積算電力表示器１４を見れば、本日の９時から１７時までの使用電力量［ｋＷｈ］を簡単に知ることが出来る。
【００１２】
なお、積算期間Ｔをデフォルトで設定しておいてもよい。
【００１３】
−第２の実施形態−
図２は、第２の実施形態にかかる積算電力量表示装置２００を示す構成図である。
この積算電力量表示装置２００は、風力発電機から蓄電池への電力供給路Ｐ中に計器用変成器Ｔを介して付設されており、風力発電機から出力された電圧値および電力供給路Ｐに流れる電流値をデジタル値に変換するＡＤコンバータ２１と、ＡＤコンバータ２１から電圧値および電流値を短時間毎に読み取って短時間電力量を求め積算するマイコン２２と、積算値を表示するための表示回路２３および積算電力量表示器２４と、操作者が積算開始時刻および積算終了時刻を設定するための操作スイッチ２５と、設定された積算開始時刻を表示するための積算開始時刻表示器２６と、設定された積算終了時刻を表示するための積算終了時刻表示器２７とを具備している。
【００１４】
例えば、１６日の９時から１７時までの使用電力量［ｋＷｈ］を知りたいなら、上記積算電力量表示装置１００を次のようにして使用する。
（１）操作者は、積算開始時刻ｔｓを１６日９時に設定する。マイコン２２は、積算開始時刻ｔｓを積算開始時刻表示器２６に表示する。また、操作者は、積算終了時刻ｔｅを１６日１７時に設定する。マイコン２２は、積算終了時刻ｔｅを積算終了時刻表示器２７に表示する。
（２）マイコン２２は、積算開始時刻ｔｓから一定のサンプリング間隔τ（例えば、１／１２０ｈ）毎にＡＤコンバータ２１から電圧値および電流値を読み取って乗算して電力値［ｋＷ］を求め、それにサンプリング間隔τを乗算して短時間電力量［ｋＷｈ］を求め、その短時間電力量を積算することを積算終了時刻ｔｅになるまで繰り返す。積算終了時刻ｔｅになったら、積算値を積算電力表示器２４に表示する。
（３）操作者は、１６日１７時以降に積算電力表示器２４を見れば、１６日の９時から１７時までの使用電力量［ｋＷｈ］を簡単に知ることが出来る。
【００１５】
なお、操作者が積算開始時刻ｔｓおよび積算期間Ｔを設定してもよい。この場合、マイコン２２は、積算開始時刻ｔｓ＋積算期間Ｔを積算終了時刻ｔｅに設定する。
また、操作者が積算終了時刻ｔｅおよび積算期間Ｔを設定してもよい。この場合、マイコン２２は、積算終了時刻ｔｅ−積算期間Ｔを積算開始時刻ｔｓに設定する。
【００１６】
【発明の効果】
本発明の積算電力量表示装置によれば、３０分以上の所望の積算期間における使用電力量［ｋＷｈ］や発電電力量［ｋＷｈ］を簡単に知ることが出来る。そして、このように積算期間の電力量［ｋＷｈ］を定量的に知ることにより、次の電力使用計画を立てたり、電力発電予測を行ったりするのに役立てることが出来る。
例えば、本発明の積算電力量表示装置を冷暖房機器内に取り入れ、もしくは冷暖房に関係する回路に設置すれば、積算期間中に使用した電力量とその間の体感の記憶を比較検討し、それにより電力消費と快適性を調和させうる冷暖房の設定温度を決定することが容易に行えるようになる。
【図面の簡単な説明】
【図１】第１の実施形態に係る積算電力量表示装置を示す構成図である。
【図２】第２の実施形態に係る積算電力量表示装置を示す構成図である。
【符号の説明】
１１，２１　　　　　ＡＤコンバータ
１２，２２　　　　　マイコン
１４，２４　　　　　積算電力量表示器
１５，２５　　　　　操作スイッチ
１６　　　　　　　　積算期間表示器
２６　　　　　　　　積算開始時刻表示器
２７　　　　　　　　積算終了時刻表示器
１００，２００　　　積算電力量表示装置
Ｐ　　　　　　　　　電力供給路
Ｔ　　　　　　　　　計器用変成器
【図１】
2004004101.tif 000003
【図２】
2004004101.tif 000004